(57)【特許請求の範囲】
【請求項１】
外周面に弓形形状品の内周面を当接して支持するとともに所定方向に回転する弓形形状品支持体と、一対の回転砥石の各々研磨面が弓形形状品の長手方向両端面部の回転軌跡に対向配置するよう所定間隔を形成して並列配置するとともに回転軸が前記弓形形状品支持体と平行になるように配置する回転砥石支持体と、前記弓形形状品支持体と回転砥石支持体及び一対の回転砥石とで囲まれた空間内に、弓形形状品の外周面を弓形形状品支持体方向に押圧する弓形形状品押圧手段とを配置した弓形形状品の加工装置。
【請求項２】
請求項１において、弓形形状品押圧手段が、所定方向に移動するＶベルト、平ベルト、ロープ、チェーンのうちいずれかを弓形形状品の外周面に当接する構成からなる弓形形状品の加工装置。
【請求項３】
請求項１において、一対の回転砥石の各々研磨面が、面取り加工をすべく弓形形状品の長手方向両端面部の平坦な端面に対して、所定角度を有している弓形形状品の加工装置。
【請求項４】
請求項１において、一対の回転砥石の各々研磨面が、端面加工をすべく弓形形状品の長手方向両端面部の平坦な端面に対して、平行である弓形形状品の加工装置。
【発明の詳細な説明】
【０００１】
【発明の属する技術分野】
この発明は、フェライト磁石等の各種セラミックス製品の加工装置の改良に係り、特に、弓形形状品の長手方向両端面部における面取り加工や平坦な端面の加工等を経済的に効率よく実施することが可能な弓形形状品の加工装置に関するものである。
【０００２】
【従来の技術】
最近では、種々の形状からなるセラミックス製品が多くの技術分野で使用されているが、例えば、弓形形状からなるフェライト焼結磁石は電装品の駆動用モータ等に使用されている。
【０００３】
通常、弓形形状からなるフェライト焼結磁石は、圧縮成形、焼成、研磨加工等の製造工程を経て所定の形状、寸法に仕上げられ製品となる。これらの工程のほとんどが生産効率向上のために自動化されているが、焼成後の外周や内周の研磨加工機への搬送供給時や駆動用モータへの組込み作業時等において、該弓形形状フェライト焼結磁石の長手方向端面部のエッジ部に欠けが発生し、形状的な不良を招くだけでなく、前記製造工程時や組込み作業時の作業効率の低下を招くことから、図５に示すように焼成後に速やかに弓形形状フェライト焼結磁石１の長手方向外周端面部に面取り加工を施し、面取り部１１を形成することが必要とされていた。
【０００４】
以上に示すような弓形形状からなるフェライト焼結磁石の面取り加工装置としては、該フェライト焼結磁石の長手方向外周端面部の一方端面部における面取り部全域に接することが可能な軸方向断面が部分楕円状凹部を有する略円柱状の回転砥石を使用した構成、所謂、総形砥石方式（特開平５−１２９１２９号公報、特開平６−３１４６１０号公報）が知られている。
【０００５】
また、圧縮成形後（焼成前）の面取り加工装置として、圧縮成形体をその内周面において吸引保持して回転するワークホルダーと、このワークホルダーに隣接して回転軸が平行になるように配置され、前記圧縮成形体の外周両端縁部の回転軌跡に進退調節自在に研削面を臨ませて回転駆動される回転砥石とから構成される、所謂、吸引保持方式（特開昭６２−１９９３４４号公報）等が知られている。
【０００６】
【発明が解決しようとする課題】
上記の総形砥石方式においては、面取り加工対象の弓形形状からなるフェライト焼結磁石の形状や寸法に応じて砥石の形状や寸法が必然的に決定されることから、砥石形状が複雑になるだけでなく、汎用性が低く、砥石自体の価格が高騰する問題を有している。
また、総形砥石方式では、フェライト焼結磁石の長手方向外周端面部の両端面部に同時に面取り加工を施すことは困難であり、一方端面部毎に加工することとなり、生産性効率化の観点からは必ずしも望ましい構成ではなかった。
【０００７】
また、吸引保持方式においては、面取り加工対象の弓形形状からなるフェライト焼結磁石への吸引力が真空ポンプ等の真空吸引源によって決定されることから該吸引力も必然的に限界があり、フェライト焼結磁石の重量等に対して必ずしも十分な吸引力が得られるとは限らず、特にフェライト焼結磁石とワークホルダーとの互いの当接面（吸着面）の密着が完全でないと、面取り加工中にフェライト焼結磁石がワークホルダーから外れて飛散する等の危険性もある。また、ワークホルダーと真空吸引源との連通接続等によって装置全体が複雑で大型化を招く原因にもなっている。
【０００８】
この発明は、以上のような問題点を解決することを目的とするもので、特に、フェライト磁石等の各種セラミックスからなる弓形形状品の長手方向両端面部における面取り加工や平坦な端面の加工等を経済的に効率よく実施することが可能な弓形形状品の加工装置の提供を目的とするものである。
【０００９】
【課題を解決するための手段】
本発明者は、上記の目的を達成するために種々の実験を繰り返した結果、加工対象品の支持構成を工夫することによって、例えば、回転する支持体にＶベルト等の押圧によって加工対象品を押圧支持する構成を採用することによって、特殊形状の砥石を使用しなくとも、また危険性がなく容易にかつ効率よく目的とする加工を実現できることを確認し、発明を完成したのである。
【００１０】
すなわち、この発明は、
外周面に弓形形状品の内周面を当接して支持するとともに、所定方向に回転する弓形形状品支持体と、
一対の回転砥石の各々研磨面が弓形形状品の長手方向両端面部の回転軌跡に対向配置するよう所定間隔を形成して並列配置するとともに、回転軸が前記弓形形状品支持体と平行になるように配置する回転砥石支持体と、
前記弓形形状品支持体と回転砥石支持体及び一対の回転砥石とで囲まれた空間内に、弓形形状品の外周面を弓形形状品支持体方向に押圧する弓形形状品押圧手段とを配置したことを特徴とする弓形形状品の加工装置である。
【００１１】
特に、上記の加工装置において、弓形形状品押圧手段が、所定方向に移動するＶベルト、平ベルト、ロープ、チェーンのうちいずれかを弓形形状品の外周面に当接する構成からなることを特徴とする加工装置を併せて提案する。
【００１２】
また、上記の加工装置において、一対の回転砥石の各々研磨面が、面取り加工をすべく弓形形状品の長手方向両端面部の平坦な端面に対して、所定角度を有していることを特徴とする構成、さらに、一対の回転砥石の各々研磨面が、端面加工をすべく弓形形状品の長手方向両端面部の平坦な端面に対して、平行であることを特徴とする構成からなる加工装置をも併せて提案する。
【００１３】
【発明の実施の形態】
この発明の弓形形状品の加工装置を、図１及び図２に示す一実施例に基づいて詳細に説明する。なお、図１は縦断面説明図、図２は部分断面平面説明図である。以下の説明においては、加工対象品となる弓形形状品をフェライト焼結磁石とし、該フェライト焼結磁石の長手方向両端面部の外周面に面取り加工を施すことを目的とした加工装置の例について説明する。
【００１４】
１は弓形形状からなるフェライト焼結磁石であり、後から詳述するＶベルト３ａからなる弓形形状品押圧手段３によって弓形形状品支持体２に支持されている。弓形形状品支持体２の外周面は、フェライト焼結磁石１が加工時に長手方向（図２において左右方向）に移動しないよう段差部２１を形成するとともに、フェライト焼結磁石１の内周面に当接する面２２は、該フェライト焼結磁石１の内径と同寸法に加工されている。また、弓形形状品支持体２はモータ（図示せず）に連結して図中矢印イ方向に回転している。
【００１５】
４ａ，４ｂは一対の回転砥石であり、各々の研磨面４１ａ，４１ｂが、フェライト焼結磁石１の長手方向両端面部における面取り部１１の回転軌跡に対向配置するよう回転砥石支持体５を介して所定間隔を形成するよう並列配置している。すなわち、回転砥石支持体５は回転砥石４ａ，４ｂを外嵌する回転軸５１と回転砥石４ａ，４ｂの間隔を決定するカラー５２及び回転砥石４ａ，４ｂの固定用ナット５３から構成され、一対の回転砥石４ａ，４ｂが加工時に長手方向（図２において左右方向）に移動しないよう支持している。また、回転砥石支持体５の回転軸５１と前記弓形形状品支持体２と平行になるように配置されている。なお、回転軸５１はモータ（図示せず）に連結して図中矢印ロ方向に回転している。
【００１６】
以上に説明した弓形形状品支持体２と回転砥石支持体５及び一対の回転砥石４ａ，４ｂとで囲まれた空間Ａ内に、フェライト焼結磁石１の外周面を弓形形状品支持体２方向に押圧するＶベルトからなる弓形形状品押圧手段３を配置している。
Ｖベルト３ａは、モータ（図示せず）に連結して図中矢印ハ方向に回転する駆動用溝車６及び従動用溝車７ａ，７ｂ，７ｃによって所定速度で図中矢印ニ方向に移動するとともに、従動用溝車７ａ，７ｂの位置（図１において左右方向の位置）調整によってフェライト焼結磁石１の外周面への押圧力を制御し、結果として回転するフェライト焼結磁石１を弓形形状品支持体２に押圧支持することができる。
【００１７】
ここで、駆動用溝車６と弓形形状品支持体２が同期回転するよう各々に連結するモータの回転速度を調整することによって、フェライト焼結磁石１が弓形形状品支持体２上で滑り等を発生しないようにすることが望ましい。
【００１８】
以上の構成からなる加工装置において、弓形形状からなるフェライト焼結磁石１の長手方向両端面部の外周面に面取り加工を施す場合は、まず、フェライト焼結磁石１を搬送ライン８によって弓形形状品支持体２方向に所定間隔毎に送り込む。図中８１は搬送用レール、８２は搬送用ガイド側板、８３は搬送用プッシャーである。
【００１９】
さらに、上記のフェライト焼結磁石１は、弓形形状品支持体２の上方に延出する板ばね等からなる案内弾性板９によって弓形形状品支持体２上に案内されると弓形形状品支持体２の回転にともない、図中矢印ホ方向に回転するとともに、前記Ｖベルト３ａによる弓形形状品押圧手段３によって弓形形状品支持体２に支持されながら移動する。
【００２０】
この際、予め一対の回転砥石４ａ，４ｂの各々研磨面４１ａ，４１ｂがフェライト焼結磁石１の長手方向両端面外周部の回転軌跡に対向配置するよう所定間隔を形成して並列配置していることから、該フェライト焼結磁石１が回転砥石４ａ，４ｂ間を通過することによって長手方向両端面部の外周面に面取り加工が施される。
面取り加工が施されたフェライト焼結磁石１は、弓形形状品支持体２の下方に延出する合成樹脂等からなる傾斜シュート１０上に落下し、次工程に搬送される。
【００２１】
以上の説明においては、弓形形状品押圧手段３としてＶベルト３ａを採用した構成にて説明したが、弓形形状品の寸法や重量等に応じて、平ベルト、ロープ、チェーン等を使用することも可能である。いずれにしても、これらの弓形形状品押圧手段は、弓形形状品支持体２と回転砥石支持体５及び一対の回転砥石４ａ，４ｂとで囲まれた空間Ａを利用して配置され、弓形形状品の外周面を弓形形状品支持体方向に押圧する構成であれば、図示の構成に限定されず、種々の構成を採用することが可能である。
【００２２】
また、以上の説明においては、駆動用溝車６と弓形形状品支持体２との各々に独立してモータを連結する構成にて説明したが、歯車等の伝動装置を効果的に配置することによって、一つのモータのみで、目的とする回転駆動を実現することも可能である。さらに、一対の回転砥石４ａ，４ｂの回転砥石支持体５への取付固定構成、弓形形状品の搬送ライン構成等も同様に図示の構成に限定されず、種々の構成を採用することが可能である。
【００２３】
図３及び図４はこの発明の他の実施例であり、特に一対の回転砥石４ａ，４ｂの研磨面の形状によって弓形形状品１の長手方向両端面部を所定の形状に加工する構成を示している。図３の場合は、弓形形状品１の長手方向両端面部を平坦面１２に研磨するために一対の回転砥石４ａ，４ｂの研磨面を平坦面４２ａ，４２ｂとした構成である。
図４の場合は、弓形形状品１の長手方向両端面部に平坦面１２と面取り部１１を形成するために一対の回転砥石４ａ，４ｂの研磨面をそれぞれ平坦面４２ａ，４２ｂと面取り部研磨面４１ａ，４１ｂからなるように構成したものである。図中２は弓形形状品支持体であり、３はＶベルトからなる弓形形状品押圧手段である。これらの構成においても、図１及び図２に示す構成と同様な作動原理によって、容易に弓形形状品の長手方向両端面部を所定形状に加工することが可能となる。
【００２４】
【実施例】
図１及び図２に示す構成からなる本発明の加工装置によって、外径６４．７ｍｍ×内径５０．８ｍｍ×長さ（長手方向の寸法）３４．２ｍｍ×幅（長手方向に直交する方向の最大寸法）５７．５ｍｍの弓形形状からなるフェライト焼結磁石（１０万個）の長手方向両端面部の外周面にＣ１．５の面取り加工を施した結果、全数においてチッピング等を発生することなく良好な面取り部を形成することができた。なお、回転砥石としては公知のダイヤモンドホイールを使用した。
【００２５】
【発明の効果】
以上に説明するように、本発明の弓形形状品の加工装置においては、砥石の形状も簡単であり、加工時の加工対象品の支持や搬送を極めて簡単な構成にて実現することから、加工装置全体としても小型で簡単な構成となり、しかも連続的に加工も可能であることから、特に、フェライト磁石等の各種セラミックスからなる弓形形状品の長手方向両端面部における面取り加工や平坦な端面の加工等を経済的に効率よく実施することが可能となる。
【図面の簡単な説明】
【図１】この発明の弓形形状品の加工装置の一実施例を示す縦断面説明図である。
【図２】図１の一部断面平面説明図である。
【図３】この発明の他の実施例を示す平面説明図である。
【図４】この発明の他の実施例を示す平面説明図である。
【図５】弓形形状からなるフェライト焼結磁石の斜視説明図である。
【符号の説明】
１  フェライト焼結磁石
２  弓形形状品支持体
３  弓形形状品押圧手段
３ａ  Ｖベルト
４ａ，４ｂ  回転砥石
５  回転砥石支持体
６  駆動用溝車
７ａ，７ｂ，７ｃ  従動用溝車
８  搬送ライン
９  案内弾性板
１０  傾斜シュート
１１  面取り部
１２  平坦面
２１  段差部
２２  面
４１ａ，４１ｂ  研磨面
４２ａ，４２ｂ  平坦面
５１  回転軸
５２  カラー
５３  固定用ナット
８１  搬送用レール
８２  搬送用ガイド側板
８３  搬送用プッシャー
【図１】
0003579143.tif 000002
【図２】
0003579143.tif 000003
【図３】
0003579143.tif 000004
【図４】
0003579143.tif 000005
【図５】
0003579143.tif 000006